(57)【要約】【課題】  サーバ名やＩＰアドレスを入力するときに、入力モードを変更した場合でも、キーの入力回数を減らし、また入力ミスを軽減することができるデータ入力装置およびデータ入力方法を提供することを目的とする。【解決手段】  操作者が押下する複数のキーが配置されている操作手段と、複数のキーのうちの所定キーが押下されると、複数の入力モードのうちの１つの入力モードに切り替える入力モード切替手段と、入力モードに応じて、予め用意されている複数の入力フォーマットのうちの１つの入力フォーマットに切り替え、入力対象領域に表示する入力フォーマット表示手段と、各キーの押下回数を、対応するデータに変換するデータ変換手段と、切り替えられた入力モードに応じて、データ変換手段を切り替えるデータ変換切替手段とを有し、データ変換手段が各キーの押下回数に応じて変換したデータを、切り替えられた入力フォーマットに入力する。【選択図】  図１
2005135334.tif 000002
【特許請求の範囲】
【請求項１】
画面に表示されている入力対象領域に、データを入力するデータ入力装置において、
操作者が押下する複数のキーが配置されている操作手段と、
複数の入力モードのうちの１つの入力モードに切り替える入力モード切替手段と、
上記入力モードに応じて、予め用意されている複数の入力フォーマットのうちの１つの入力フォーマットに切り替えて、上記入力対象領域に表示する入力フォーマット表示手段と、
上記入力モード切替手段により切り替えられた入力モードに応じて、上記各キーの押下回数を、対応するデータに変換するデータ変換手段と、
を有し、上記データ変換手段が上記各キーの押下回数に応じて変換したデータを、上記切り替えられた入力フォーマットに入力することを特徴とするデータ入力装置。
【請求項２】
請求項１において、
上記入力対象領域に入力するデータは、ドメイン名またはＩＰアドレスであることを特徴とするデータ入力装置。
【請求項３】
請求項２において、
上記入力モード切替手段が切り替えた入力モードが、数字入力モード（ＩＰアドレス入力モード）である場合、上記入力フォーマット表示手段は、ＩＰアドレス各桁の数値の入力スペースとＩＰアドレスとを、所定桁数毎に区切るピリオドを表示する手段であることを特徴とするデータ入力装置。
【請求項４】
請求項１において、
上記入力フォーマット表示手段は、表示中の入力フォーマットに所定の種別のデータが入力済か否かに応じて、入力フォーマットを切り替えることを特徴とするデータ入力装置。
【請求項５】
請求項１において、
上記入力モードは、数字入力モードと、文字入力モードであり、
上記入力フォーマット表示手段は、文字入力用のフォーマットに文字が入力済の場合は、上記数字入力モードへの切り替え指示がユーザによりなされても文字入力用のフォーマットを表示し続けることを特徴とするデータ入力装置。
【請求項６】
画面に表示されている入力対象領域に、データを入力するデータ入力方法において、
操作者による操作に基づいて、入力モードを切り替える入力モード切替段階と、
上記入力モードに応じて予め用意されている入力フォーマットを切り替えて、上記入力対象領域に表示する入力フォーマット表示段階と、
上記入力モード切替手段により切り替えられた入力モードに応じて、操作者が押下した各キーの押下回数を、データ変換手段が、対応するデータに変換するデータ変換段階と、
を有し、上記データ変換段階において変換したデータを、上記切り替えられた入力フォーマットに入力することを特徴とするデータ入力方法。
【発明の詳細な説明】
【技術分野】
【０００１】
本発明は、データ入力装置およびデータ入力方法に係り、特に、たとえばテンキーやリモコンキーを有し、電子メールやホームページコンテンツ等のデジタルデータを、通信網を介して、各種サーバへ送信する通信装置等のデータ入力装置およびデータ入力方法に関する。
【背景技術】
【０００２】
今日、コンピュータネットワークの普及は、めざましく、特にインターネットにおける電子メールサービス、ＷＷＷ（Ｗｏｒｌｄ  Ｗｉｄｅ  Ｗｅｂ）サービスによって、ユーザは，さまざまな情報を発信することができ、また受信することができる。
【０００３】
インターネット上で、電子メールを送受信するサービス、またはホームページコンテンツ等のデジタルデータをアップロードするサービスを、通信装置が受けようとする場合、その通信装置は、接続すべき各種サーバ（ＳＭＴＰサーバ、ＰＯＰサーバ、ＦＴＰサーバ等）を指定する必要がある。
【０００４】
ユーザが、これらのサーバを指定する場合、３２ビットのビット列で構成されているアドレスを、８ビットずつ区切り、４個の１０進数で表現したＩＰアドレスか、またネットワークを、国別、組織別、会社別等に階層化し、表現したサーバ名を表すドメイン名（ホスト名）のいずれかで、指定する。
【０００５】
ドメイン名（ホスト名）で指定された場合、通信装置が、インターネット上に構築されているＤＮＳ（Ｄｏｍａｉｎ  Ｎａｍｅ  Ｓｅｒｖｉｃｅ）を用いて、サーバ名をＩＰアドレスに変換し、接続する。
【０００６】
一方、通信装置におけるデータ入力方法、特に携帯電話等の簡易型通信装置におけるデータ入力方法としては、従来、テンキーによる文字情報の入力が広く行われている。代表的なテンキーとして、いわゆる電話テンキーが存在する。この電話型テンキーは０〜９までの数字、＃、＊からなる１２個のキーで構成され、通常その他いくつかのコマンドキーを同時に有し、コマンドキーを操作することによって入力モードを切り替え、これによって、数字を入力する目的で使用する場合と、英字を入力する目的で使用する場合とで、同じテンキーを、互いに異なる入力キーとして用いることができる。たとえば、数字入力モードで数字の“１”キーを押すと、“１”が入力され、英字入力モードで数字の“１”キーを複数回押下すると、“ａ”→“ｂ”→“ｃ”→“Ａ”→“Ｂ”→“Ｃ”と変化させる方法等がある。
【０００７】
しかし、これら簡易型通信装置においては、キーの数が少ないので、操作性が悪いが、少ないキーを効率良く利用することによってキー入力回数を減らすデータ入力装置が知られている（たとえば、特許文献１参照）。
【０００８】
この特許文献１には、入力対象領域のデータ種別に応じて、数字入力モードと文字入力モードとが自動的に切り替わる方法が提案されているが、この方法でもドメイン名（ホスト名）の入力画面においては、予め英字入力モードになっているが、ＩＰアドレスによってサーバを指定する場合等は、入力モードを数字入力モードに切り替え、ＩＰアドレスをピリオドで区切りながら、４つの数を入力する必要がある。
【０００９】
また、他の従来例では、ＩＰアドレス入力を要求する場合、ＩＰアドレス各桁の数値の入力スペースとＩＰアドレスとを所定桁数毎に区切るピリオドが予め入力されている入力フォーマットを、ＩＰアドレスの入力インタフェースとして提供する方法が提案されている（たとえば、特許文献２参照）が、この方法でも、ＩＰアドレス入力インタフェース画面では、サーバをドメイン名（ホスト名）で指定することができない。
【特許文献１】特開２００２−２２９７２０号公報
【特許文献２】特開２０００−１３４２５５号公報
【発明の開示】
【発明が解決しようとする課題】
【００１０】
上記のように、インターネット上で、電子メールを送受信するサービス、またはホームページコンテンツ等のデジタルデータをアップロードするサービスを、通信装置が受けようとするユーザが、これらのサーバを指定する場合、ＩＰアドレスを指定するか、ドメイン名（ホスト名）を指定する。
【００１１】
たとえば、商用プロバイダ等から「ＦＴＰサーバとして“ｆｔｐ．ｃｃｃｃｃ．ｃｏ．ｊｐ”を指定してください」と通知されたユーザは、英字入力モードで「ｆｔｐ．ｃｃｃｃｃ．ｃｏ．ｊｐ」を入力するし、オフィス等で「ＦＴＰサーバとして１９２．１６８．１０．１５を指定してください」と通知されたユーザは、数字入力モードで「１９２．１６８．１０．１５」を入力する。
【００１２】
しかし、上記従来例のように、入力フォーマットが、英字入力モード、または数字入力モードに固定されていると、ユーザが入力書式を変更しようとし、入力モードを変更した場合、特に簡易型データ入力装置においては、小さい表示画面と少ないキーとを効率良く利用するサービスを提供することができず、操作性が悪いという問題がある。
【００１３】
また、ＩＰアドレスを入力する場合、決まった書式に入力することになっているにもかかわらず、インターネットに精通しないユーザにとっては、入力時の桁数ミスに気づかないことがあり、インターネットに接続できないという問題がある。
【００１４】
本発明は、サーバ名やＩＰアドレスを入力するときに、入力モードを変更した場合でも、キーの入力回数を減らし、また入力ミスを軽減することができるデータ入力装置およびデータ入力方法を提供することを目的とする。
【課題を解決するための手段】
【００１５】
本発明は、画面に表示されている入力対象領域に、データを入力するデータ入力装置において、操作者が押下する複数のキーが配置されている操作手段と、複数の入力モードのうちの１つの入力モードに切り替える入力モード切替手段と、上記入力モードに応じて、予め用意されている複数の入力フォーマットのうちの１つの入力フォーマットに切り替えて、上記入力対象領域に表示する入力フォーマット表示手段と、上記入力モード切替手段により切り替えられた入力モードに応じて、上記各キーの押下回数を、対応するデータに変換するデータ変換手段とを有し、上記データ変換手段が上記各キーの押下回数に応じて変換したデータを、上記切り替えられた入力フォーマットに入力することを特徴とするデータ入力装置である。
【００１６】
また、画面に表示されている入力対象領域に、データを入力するデータ入力方法において、操作者による操作に基づいて、入力モードを切り替える入力モード切替段階と、上記入力モードに応じて予め用意されている入力フォーマットを切り替えて、上記入力対象領域に表示する入力フォーマット表示段階と、上記入力モード切替手段により切り替えられた入力モードに応じて、操作者が押下した各キーの押下回数を、データ変換手段が、対応するデータに変換するデータ変換段階とを有し、上記データ変換段階において変換したデータを、上記切り替えられた入力フォーマットに入力することを特徴とするデータ入力方法である。
【発明の効果】
【００１７】
本発明によれば、入力モードに応じて、予め用意されている入力フォーマットを自動的に切り替え、入力対象領域に表示するので、サーバを指定する場合等、英字入力によるサーバ名（ホスト名）の入力、または、数字入力によるＩＰアドレスの入力を、ユーザが任意に切り替えることができ、したがって、入力モードを変更した場合でも、入力モードに応じて小さい表示画面、キーを、効率良く利用することができるという効果を奏する。
【００１８】
また、本発明によれば、入力対象領域に、入力モードに応じた入力フォーマットを表示するので、ユーザの入力ミスを軽減することができるという効果を奏する。
【発明を実施するための最良の形態】
【００１９】
発明を実施するための最良の形態は次の実施例である。
【実施例１】
【００２０】
図１は、本発明の実施例１であるデータ入力装置Ｄ１を示す図である。
【００２１】
データ入力装置Ｄ１は、撮像機能付き通信装置に組み込まれて使用されるデータ入力装置であり、操作手段１０１と、記憶手段１０３と、表示手段１０４と、撮像手段２０１と、演算手段２０２と、通信手段２０５とを有する。
【００２２】
演算手段２０２は、文字入出力処理手段１０２と、画像処理手段２０３と、通信処理手段２０４と、主制御２０６とを有する。
【００２３】
データ入力装置Ｄ１は、撮像手段２０１で撮影したデジタル画像を、通信手段２０５から、インターネット上へ送信するサービスを提供する。
【００２４】
操作手段１０１は、通信装置本体のキーやスイッチであり、また、無線または有線接続によって、リモートコントローラやパーソナルコンピュータ等からの入力信号を受付けるものであってもよい。
【００２５】
表示手段１０４は、液晶表示パネル（ＬＣＤ）によって構成され、操作手段１０１からの入力信号に応じた文字または画像情報をユーザに視覚的に表示する手段である。
【００２６】
撮像手段２０１は、ＣＣＤ等の電子センサを備え、光学像を電気信号に変換し、デジタル撮影画像情報を得る手段である。
【００２７】
画像処理手段２０３は、上記撮影画像情報について、各種画像処理を行う手段である。
【００２８】
通信手段２０５は、たとえばＰＳＴＮ／ＩＳＤＮ／ＡＤＳＬ／光ケーブル等の有線公衆通信網、またはＰＤＣ／ＰＨＳ／ＩＭＴ−２０００等の無線公衆通信網、またはＢｌｕｅｔｏｏｔｈ／無線ＬＡＮ等のローカル通信網を介して、これらの有線／無線公衆通信網を経由し、インターネットサービスプロバイダ（ＩＳＰ）へ接続するためのハードウエアおよび通信プロトコル等を有する手段である。通信手段２０５は、本体から着脱可能であってもよい。
【００２９】
通信処理手段２０４は、通信手段２０５を制御し、たとえばＳＭＴＰ（Ｓｉｍｐｌｅ  Ｍａｉｌ  Ｔｒａｎｓｆｅｒ  Ｐｒｏｔｏｃｏｌ）等インターネット上のメール送信プロトコルを用い、電子メールや、ＦＴＰ（Ｆｉｌｅ  Ｔｒａｎｓｆｅｒ  Ｐｒｏｔｏｃｏｌ）等インターネット上のファイル転送プロトコルを用い、ファイル送信を行う手段である。
【００３０】
記憶手段１０３は、ＥＰＲＯＭ、ＥＥＰＲＯＭ、フラッシュ等のデータ通信装置に内蔵されている不揮発性メモリ、またはコンパクトフラッシュ（登録商標）やスマートメディア、ＳＤメモリカード等、着脱可能なメモリカード等、データを書替え可能なメモリによって構成され、あらゆる演算処理に関する設定データを記憶している。
【００３１】
主制御２０６は、これら全ての制御をまとめる演算手段である。
【００３２】
上記のように、撮像手段２０１で撮影したデジタル画像を、通信手段２０５からインターネット上へ送信するサービスを利用するユーザは、各種サービスに応じたサーバを、インターネット上で一意に識別するＩＰアドレスまたはサーバ名（ホスト名）を表すドメイン名を、操作手段１０１を用いて、予め入力する必要がある。
【００３３】
次に、データ入力装置およびデータ入力方法について説明する。
【００３４】
図２は、データ入力装置Ｄ２を示すブロック図である。
【００３５】
データ入力装置Ｄ２は、操作手段１０１と、文字入出力処理手段１０２と、記憶手段１０３と、表示手段１０４とを有する。
【００３６】
文字入出力処理手段１０２は、文字入力処理手段１０５と、入力モード切替手段１０６と、データ変換切替手段１０７と、データ変換手段１０９と、文字出力処理手段１１０と、入力フォーマット表示手段１１１とを有する。
【００３７】
操作手段１０１は、たとえば、携帯電話等の簡易型通信装置におけるデータ入力方法として従来よく用いられているテンキー等があげられる。代表的なテンキーとして、いわゆる電話テンキーが存在する。
【００３８】
上記電話型テンキーは、０〜９までの数字、＃、＊からなる１２個のキーで構成され、通常その他、上下左右キー、モード切替キー、セットキー、クリアキー等いくつかのコマンドキーを同時に有し、コマンドキーを操作して入力モードを切り替えることによって、数字を入力する目的で使用する場合と、英字を入力する目的で使用する場合とで、同じテンキーを、それぞれ異なる入力キーとして用いることができる。
【００３９】
たとえば、数字入力モードで、数字の“１”キーを押すと、“１”が入力され、英字入力モードで、数字の“１”キーを複数回押下すると、“ａ”→“ｂ”→“ｃ”→“Ａ”→“Ｂ”→“Ｃ”と変化する。
【００４０】
文字入力処理手段１０２は、操作手段１０１のキーの種類や押下回数を判断する手段である。また、モード切替キー等、所定のキーが押されると、入力モード切替手段１０６によって、入力モードが切り替わり、たとえばモード切替キーを押下する順に、「英字入力モード」→「数字入力モード」→「漢字入力モード」→「カナ入力モード」→「英字入力モード」等と、次々に切り替わる。
【００４１】
記憶手段１０３は、これら各入力モード中のそれぞれのキー入力について、キーの種類と、押下回数とに応じたデータ変換テーブル１０８を有する。
【００４２】
図３は、「英字入力モード」のデータ変換テーブル例を示す図である。
【００４３】
図３は、「英字入力モード」において、「２」のキーを３回押下すると「ｃ」であることを表す。
【００４４】
図４は、「数字入力モード」のデータ変換テーブル例を示す図である。
【００４５】
データ変換切替手段１０７は、入力モード切替手段１０６によって切り替えられた入力モードに応じて、複数のデータ変換テーブル１０８から、１つを選択し、切り替える。データ変換手段１０９は、切り替えられたデータ変換テーブル１０８を用い、文字入力手段１０５が検出したキーの種類と押下回数とに基づいて、ユーザが入力した文字を特定し、文字出力処理手段１１０が、特定された文字を表示手段１０４へ表示する。よって、ユーザが、自ら操作手段１０１を介して入力した文字を、視覚的に認識することができる。
【００４６】
入力フォーマット表示手段１１１は、切り替えられた入力モードに応じて、表示手段１０４に表示する入力フォーマットを切り替える。
【００４７】
図５は、ＦＴＰサーバの入力を、ユーザに促す画面の例を示す図である。
【００４８】
図５（ａ）に示す「英字入力モード」においては、「ｆｔｐ．ｃｃｃｃｃ．ｃｏ．ｊｐ」等の英字を入力するために、入力領域は、フリーフォーマット（空白）になっている。ＦＴＰサーバ名として「ｆｔｐ．ｃｃｃｃｃ．ｃｏ．ｊｐ」を入力するユーザは、この画面において、３（３）８（１）７（１）＊（１）２（３）２（３）２（３）２（３）２（３）＊（１）２（３）６（３）＊（１）５（１）７（１）という入力が必要となる。なお、上記括弧内の数字は、押下回数である。
【００４９】
一方、ユーザが「１９２．１６８．１０．１５」を入力しようとして操作手段１０１のモード切り替えキー等所定のキーを操作した場合、入力モード切替手段１０６は、入力モードを、「数字入力モード」に切り替え、これを受けて、入力フォーマット表示手段１１１は、図５（ｂ）に示すように、ＩＰアドレス各桁の数値の入力スペースと、ＩＰアドレスを所定桁数毎に区切るピリオドとを表示する。
【００５０】
したがって、ユーザは、現在の入力モードが「数字入力モード」であることを、はっきり認識することができ、また、ＩＰアドレスを３桁ずつ正しく入力することができる。
【００５１】
また、たとえば、この入力フォーマットにおいて、３桁を入力すると、カーソルは、ピリオドを飛ばし、次の８ビットの入力スペースへ移動し、また８ビットの１０進数が３桁に満たない場合でも、ピリオドに割り当てられた「＊」等のキーを押下することによって、カーソルは、ピリオドを飛ばし、次の８ビットの入力スペースへ移動することができる。
【００５２】
したがって、ＦＴＰサーバアドレスとして「１９２．１６８．１０．１５」を入力しようとするユーザは、この画面において、「１９２＊１６８＊１０＊１５」を入力するだけで足りる。
【００５３】
次に、数字と英字とが混ざったサーバ名（ホスト名）を入力する場合の動作例について説明する。
【００５４】
図５に示す画面において、ユーザに許可される入力モードは、「英字入力モード」と「数字入力モード」との２つのみであるとする。すなわち、ユーザが、操作手段１０１のモード切り替えキー等、所定のキーを操作した場合は、「英字入力モード」→「数字入力モード」→「英字入力モード」→のように、トグルで切り替わるものとする。
【００５５】
何も文字が入力されていない状態（図５（ａ）、（ｂ））において、ユーザが操作手段１０１に設けられているモード切り替えキー等、所定のキーを操作すると、「英字入力モード」では、サーバ名（ホスト名）入力フォーマットが表示され、また「数字入力モード」では、ＩＰアドレス入力フォーマットが表示される。
【００５６】
たとえば、ユーザが、「数字入力モード」において、図５（ｃ）のように「１」を入力してから、操作手段１０１に設けられているモード切り替えキー等、所定のキーを操作すると、図５（ｄ）に示すように、「英字入力モード」の画面に切り替わっても、上記入力された「１」は、表示されたままであり、引き続き英字を入力することができる。
【００５７】
ここで、さらに、ユーザが、「英字入力モード」において、図５（ｅ）に示すように、英字「ｆｔｐ」を入力した後に、操作手段１０１のモード切り替えキー等、所定のキーを操作すると、図５（ｆ）に示すように、入力モードだけが「数字入力モード」に切り替わり、入力フォーマットはサーバ名（ホスト名）入力フォーマットのままとなり、引き続き数字を入力することができる。
【００５８】
図６は、本発明のデータ入力装置において、データ入力動作を示すフローチャートである。
【００５９】
図６に示すフローチャートは、図２に示すデータ入力装置において、ＦＴＰサーバの入力を、ユーザに促す動作を示すフローチャートであり、ユーザに許可される入力モードは、「英字入力モード」と「数字入力モード」との２つのみであるとする。すなわち、ユーザが、操作手段１０１のモード切り替えキー等、所定のキーを操作すると、「英字入力モード」→「数字入力モード」→「英字入力モード」→のように、トグルで切り替わる。また、図６に示すフローチャートにおいて、データ入力装置が、ユーザに、ＦＴＰサーバ入力を促す場合、デフォルトの入力モードは、「英字入力モード」であるとする。
【００６０】
まず、入力フォーマット表示手段１１１が、表示手段１０４に、図５（ａ）に示すような英字入力フォーマットを表示し、ＦＴＰサーバの入力をユーザに促す（Ｓ６０１）。このときに、入力モード切替手段１０６は、入力モードが「英字入力モード」に設定されているので（Ｓ６０２）、データ変換切替手段１０７は、データ変換テーブルとして、図３に示すような「英字入力モード」のデータ変換テーブル１０８が選択されている。
【００６１】
ユーザが、操作手段１０１を操作し、キー入力すると、文字入力処理手段１０５は、キー種別を判断し（Ｓ６０４）、テンキーであれば、データ変換手段１０９が切り替えられたデータ変換テーブル１０８を用い、データ変換し、文字出力処理手段１１０が、表示手段１０４へ、上記変換された文字データを出力する（Ｓ６０５）。
【００６２】
また、キー種別がクリア、カーソル等のコマンドキーであれば、それぞれ、個別の処理を行うが（Ｓ６０６）、ここでは、上記個別の処理の詳細説明を省略する。キー種別がモード切替キーであれば、入力モード切替手段１０６が、文字入力モードを切り替える。たとえば、現在の文字入力モードが「英字入力モード」であれば（Ｓ６０７）、入力モード切替手段１０６が、文字入力モードを、「数字入力モード」に切り替え（Ｓ６１０）、入力フォーマット表示手段１１１は、既に入力されているデータに、英字データが表示されているか否かを判断し（Ｓ６０８）、英字データが表示されていなければ、図５（ｃ）に示すように、数字入力フォーマットを表示し（Ｓ６０９）、図５（ｅ）に示すように、英字データがあれば、図５（ｆ）のように、そのまま英字入力フォーマットの表示を続け、次のユーザ操作を待つ（Ｓ６０３）。
【００６３】
また、現在の文字入力モードが、「数字入力モード」であれば（Ｓ６０７）、入力モード切替手段１０６が文字入力モードを、「英字入力モード」に切り替え、入力フォーマット表示手段１１１が、表示手段１０４に、図５（ａ）、（ｄ）、（ｅ）、（ｆ）に示すような英字入力フォーマットを表示し（Ｓ６０１）、次のユーザ操作を待つ（Ｓ６０３）。
【００６４】
なお、上記実施例では、ＦＴＰサーバ名（ホスト名）とＩＰアドレスとの入力画面に限って説明したが、上記実施例は、これ以外にも、特に、小さい表示画面と少ないキーとによって構成されているデータ入力装置において、電子メールアドレス、接続機器アドレス等、あらゆるデータについて、様々な入力モードに応じた入力フォーマットを切り替えて表示する方法に応用することができる。
【図面の簡単な説明】
【００６５】
【図１】本発明の実施例１であるデータ入力装置Ｄ１を示す図である。
【図２】データ入力装置Ｄ２を示すブロック図である。
【図３】「英字入力モード」のデータ変換テーブル例を示す図である。
【図４】「数字入力モード」のデータ変換テーブル例を示す図である。
【図５】ＦＴＰサーバの入力を、ユーザに促す画面の例を示す図である。
【図６】本発明のデータ入力装置において、データ入力動作を示すフローチャートである。
【符号の説明】
【００６６】
Ｄ１、Ｄ２…データ入力装置、
１０１…操作手段、
１０２…文字入出力処理手段、
１０３…記憶手段、
１０４…表示手段、
１０６…入力モード切替手段、
１０７…データ変換切替手段、
１０８…データ変換テーブル、
１０９…データ変換手段、
１１１…入力フォーマット表示手段、
２０１…撮像手段、
２０２…演算手段、
２０５…通信手段。
【図１】
2005135334.tif 000003
【図２】
2005135334.tif 000004
【図３】
2005135334.tif 000005
【図４】
2005135334.tif 000006
【図５】
2005135334.tif 000007
【図６】
2005135334.tif 000008